(57)【要約】  サービススケジューリングの柔軟性を改善するためのデータ伝送方法が開示される。この方法は、基地局により、設定情報を端末に送信するステップであり、設定情報は、シンボル数量情報を含み、シンボル数量情報は、基地局が端末とデータ交換を実行するときに使用されるシンボルの数量を示すために使用されるステップと、基地局により、シンボルの単位で伝送されるデータを端末に送信するステップ、又はシンボルの単位で伝送されるデータを受信するステップであり、データは、時間領域においてm個のシンボルを占有し、mは、設定情報において示され且つ使用されるシンボルの数量であるステップとを含む。このように、基地局が端末とデータ交換を実行する前に、基地局は、シンボル数量情報を端末に送信し、これにより、端末は、データ交換を実行するために、データを端末に送信するために基地局により使用されるシンボルの数量を習得することができるだけでなく、データを基地局に送信するために端末により必要とされるシンボルの数量を決定することもできる。これは、サブフレーム又はシンボルの対称的な数量が上りリンク及び下りリンクデータ伝送に使用される必要がある従来技術の場合を回避し、サービススケジューリングの柔軟性を改善する。
2018517349.tif 000002
【特許請求の範囲】
【請求項１】
設定情報を端末に送信するように構成されたトランシーバモジュールであり、前記設定情報は、シンボル数量情報を含み、前記シンボル数量情報は、基地局が前記端末とデータ交換を実行するときに使用されるシンボルの数量を示すために使用され、前記トランシーバモジュールは、シンボルの単位でデータを前記端末に送信するように、或いはシンボルの単位で前記端末により送信されたデータを受信するように更に構成され、前記データは、時間領域においてm個のシンボルを占有し、mは、前記設定情報において示され且つ使用されるシンボルの数量であるトランシーバモジュールと、
前記設定情報を送信するように前記トランシーバモジュールを制御し、シンボルの単位で前記データを前記端末に送信するように前記トランシーバモジュールを制御するように構成された処理モジュールと
を含む基地局。
【請求項２】
前記データは、シンボルの単位で符号化及び変調されたデータパケット内の伝送対象のデータを含む、請求項１に記載の基地局。
【請求項３】
前記処理モジュールは、
前記端末のシンボルレベル伝送能力情報を取得するように更に構成され、前記シンボルレベル伝送能力情報は、前記端末が前記シンボルの単位でデータ交換を実行する能力を有することを示す、請求項１又は２に記載の基地局。
【請求項４】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項１乃至３のうちいずれか１項に記載の基地局。
【請求項５】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項１乃至４のうちいずれか１項に記載の基地局。
【請求項６】
前記トランシーバモジュールは、
シンボル物理下りリンク制御チャネルSym-PDCCH及び物理下りリンク共有チャネルPDSCHを使用することにより、シンボルの単位で前記データを前記端末に送信するように更に具体的に構成され、前記Sym-PDCCHは、前記基地局により使用される前記シンボルの数量に対応するPDSCHをスケジューリングするために使用される、請求項１乃至５のうちいずれか１項に記載の基地局。
【請求項７】
前記Sym-PDCCHは、少なくとも１つの周波数帯域の変調及び符号化方式MCS制御情報を含む、請求項６に記載の基地局。
【請求項８】
前記トランシーバモジュールは、
上りリンクグラントを前記端末に送信し、
シンボルの単位で前記端末により送信された前記データを受信し、
シンボルの単位でフィードバック情報を前記端末に送信するように更に具体的に構成され、前記フィードバック情報に使用されるフォーマットは、前記シンボル物理下りリンク制御チャネルSym-PDCCHにより使用される制御シグナリングフォーマットである、請求項１乃至７のうちいずれか１項に記載の基地局。
【請求項９】
前記トランシーバモジュールは、
無線リソース制御RRCシグナリング、媒体アクセス制御制御エレメントMAC  CE又は物理レイヤ制御シグナリングのうちいずれか１つを使用することにより、前記設定情報を送信するように更に具体的に構成される、請求項１乃至８のうちいずれか１項に記載の基地局。
【請求項１０】
基地局により送信された設定情報を受信するように構成されたトランシーバモジュールであり、前記設定情報は、シンボル数量情報を含み、前記シンボル数量情報は、前記基地局が端末とデータ交換を実行するときに使用されるシンボルの数量を示すために使用され、前記トランシーバモジュールは、シンボルの単位でデータを前記基地局に送信するように、或いはシンボルの単位で前記基地局により送信されたデータを受信するように更に構成され、前記データは、時間領域においてm個のシンボルを占有し、mは、前記設定情報において示され且つ使用されるシンボルの数量であるトランシーバモジュールと、
シンボルの単位で前記データを前記基地局に送信するように前記トランシーバモジュールを制御するように構成された処理モジュールと
を含む端末。
【請求項１１】
シンボルの単位で伝送される前記データは、シンボルの単位で符号化及び変調されたデータパケット内の伝送対象のデータを含む、請求項１０に記載の端末。
【請求項１２】
前記処理モジュールは、前記端末のシンボルレベル伝送能力情報を前記基地局に送信するように前記トランシーバモジュールを制御するように更に構成され、前記シンボルレベル伝送能力情報は、前記端末が前記シンボルの単位でデータ交換を実行する能力を有することを示す、請求項１０又は１１に記載の端末。
【請求項１３】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項１０乃至１２のうちいずれか１項に記載の端末。
【請求項１４】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項１０乃至１３のうちいずれか１項に記載の端末。
【請求項１５】
前記トランシーバモジュールは、
シンボル物理下りリンク制御チャネルSym-PDCCH及び物理下りリンク共有チャネルPDSCHを使用することにより、シンボルの単位で前記基地局により送信された前記データを受信するように更に具体的に構成され、前記Sym-PDCCHは、前記基地局により使用される前記シンボルの数量に対応するPDSCHをスケジューリングするために使用される、請求項１０乃至１４のうちいずれか１項に記載の端末。
【請求項１６】
前記Sym-PDCCHは、少なくとも１つの周波数帯域の変調及び符号化方式MCS制御情報を含む、請求項１５に記載の端末。
【請求項１７】
前記トランシーバモジュールは、
前記基地局により送信された上りリンクグラントを受信し、
シンボルの単位で前記データを前記基地局に送信し、
シンボルの単位で前記基地局により送信されたフィードバック情報を受信するように更に具体的に構成され、前記フィードバック情報に使用されるフォーマットは、前記シンボル物理下りリンク制御チャネルSym-PDCCHにより使用される制御シグナリングフォーマットである、請求項１乃至１６のうちいずれか１項に記載の端末。
【請求項１８】
前記トランシーバモジュールは、
無線リソース制御RRCシグナリング、媒体アクセス制御制御エレメントMAC  CE又は物理レイヤ制御シグナリングのうちいずれか１つを使用することにより、前記基地局により送信された前記設定情報を受信するように更に具体的に構成される、請求項１１乃至１７のうちいずれか１項に記載の端末。
【請求項１９】
基地局により、設定情報を端末に送信するステップであり、前記設定情報は、シンボル数量情報を含み、前記シンボル数量情報は、前記基地局が前記端末とデータ交換を実行するときに使用されるシンボルの数量を示すために使用されるステップと、
前記基地局により、シンボルの単位でデータを前記端末に送信するステップ、又はシンボルの単位で前記端末により送信されたデータを受信するステップであり、前記データは、時間領域においてm個のシンボルを占有し、mは、前記設定情報において示され且つ使用されるシンボルの数量であるステップと
を含むデータ伝送方法。
【請求項２０】
シンボルの単位で伝送される前記データは、シンボルの単位で符号化及び変調されたデータパケット内の伝送対象のデータを含む、請求項１９に記載の方法。
【請求項２１】
基地局により、設定情報を端末に送信する前に、前記方法は、
前記端末のシンボルレベル伝送能力情報を取得するステップであり、前記シンボルレベル伝送能力情報は、前記端末が前記シンボルの単位でデータ交換を実行する能力を有することを示すステップを更に含む、請求項１９又は２０に記載の方法。
【請求項２２】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項１９乃至２１のうちいずれか１項に記載の方法。
【請求項２３】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項１９乃至２２のうちいずれか１項に記載の方法。
【請求項２４】
前記基地局により、シンボルの単位でデータを前記端末に送信するステップは、
前記基地局により、シンボル物理下りリンク制御チャネルSym-PDCCH及び物理下りリンク共有チャネルPDSCHを使用することにより、シンボルの単位で前記データを前記端末に送信するステップを含み、前記Sym-PDCCHは、前記基地局により使用される前記シンボルの数量に対応するPDSCHをスケジューリングするために使用される、請求項１９乃至２３のうちいずれか１項に記載の方法。
【請求項２５】
前記Sym-PDCCHは、少なくとも１つの周波数帯域の変調及び符号化方式MCS制御情報を含む、請求項２４に記載の方法。
【請求項２６】
前記方法は、
前記基地局により、上りリンクグラントを前記端末に送信するステップと、
前記基地局により、シンボルの単位で前記端末により送信された前記データを受信するステップと、
前記基地局により、シンボルの単位でフィードバック情報を前記端末に送信するステップであり、前記フィードバック情報に使用されるフォーマットは、前記シンボル物理下りリンク制御チャネルSym-PDCCHにより使用される制御シグナリングフォーマットであるステップと
を更に含む、請求項１９乃至２５のうちいずれか１項に記載の方法。
【請求項２７】
基地局により、設定情報を端末に送信するステップは、
前記基地局により、無線リソース制御RRCシグナリング、媒体アクセス制御制御エレメントMAC  CE又は物理レイヤ制御シグナリングのうちいずれか１つを使用することにより、前記設定情報を送信するステップを含む、請求項１９乃至２６のうちいずれか１項に記載の方法。
【請求項２８】
端末により、基地局により送信された設定情報を受信するステップであり、前記設定情報は、シンボル数量情報を含み、前記シンボル数量情報は、前記基地局が前記端末とデータ交換を実行するときに使用されるシンボルの数量を示すために使用されるステップと、
前記端末により、シンボルの単位でデータを前記基地局に送信するステップ、又はシンボルの単位で前記基地局により送信されたデータを受信するステップであり、前記データは、時間領域においてm個のシンボルを占有し、mは、前記設定情報において示され且つ使用されるシンボルの数量であるステップと
を含むデータ伝送方法。
【請求項２９】
シンボルの単位で伝送される前記データは、シンボルの単位で符号化及び変調されたデータパケット内の伝送対象のデータを含む、請求項２８に記載の方法。
【請求項３０】
端末により、基地局により送信された設定情報を受信する前に、前記方法は、
前記端末により、シンボルレベル伝送能力情報を前記基地局に送信するステップであり、前記シンボルレベル伝送能力情報は、前記端末が前記シンボルの単位でデータ交換を実行する能力を有することを示すステップを更に含む、請求項２８又は２９に記載の方法。
【請求項３１】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項２８乃至３０のうちいずれか１項に記載の方法。
【請求項３２】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項２８乃至３１のうちいずれか１項に記載の方法。
【請求項３３】
前記端末により、シンボルの単位で前記基地局により送信されたデータを受信するステップは、
シンボル物理下りリンク制御チャネルSym-PDCCH及び物理下りリンク共有チャネルPDSCHを使用することにより、シンボルの単位で前記基地局により送信された前記データを受信するステップであり、前記Sym-PDCCHは、前記基地局により使用される前記シンボルの数量に対応するPDSCHをスケジューリングするために使用されるステップを含む、請求項２８乃至３２のうちいずれか１項に記載の方法。
【請求項３４】
前記Sym-PDCCHは、少なくとも１つの周波数帯域の変調及び符号化方式MCS制御情報を含む、請求項３３に記載の方法。
【請求項３５】
前記方法は、
前記端末により、前記基地局により送信された上りリンクグラントを受信するステップと、
前記端末により、シンボルの単位で前記データを前記基地局に送信するステップと、
前記端末により、シンボルの単位で前記基地局により送信されたフィードバック情報を受信するステップであり、前記フィードバック情報に使用されるフォーマットは、前記シンボル物理下りリンク制御チャネルSym-PDCCHにより使用される制御シグナリングフォーマットであるステップと
を更に含む、請求項２８乃至３４のうちいずれか１項に記載の方法。
【請求項３６】
端末により、基地局により送信された設定情報を受信するステップは、
前記端末により、無線リソース制御RRCシグナリング、媒体アクセス制御制御エレメントMAC  CE又は物理レイヤ制御シグナリングのうちいずれか１つを使用することにより、前記基地局により送信された前記設定情報を受信するステップを含む、請求項２８乃至３５のうちいずれか１項に記載の方法。
【発明の詳細な説明】
【技術分野】
【０００１】
本発明は、通信分野に関し、特にデータ伝送方法及び装置に関する。
【背景技術】
【０００２】
通信技術の発展及び進歩により、より良いネットワークシステムアーキテクチャがますます成熟しており、ネットワークデータ伝送レートはますます高くなっている。現在、特に一般的なネットワークシステムアーキテクチャは、LTE（Long  Term  Evolution、ロングタームエボリューション）システムアーキテクチャである。LTEは、3GPP（The  3rd  Generation  Partnership  Project、第三世代パートナーシッププロジェクト）組織により策定されたUMTS（Universal  Mobile  Telecommunications  System、ユニバーサル移動体通信システム）技術標準の長期的進化である。LTEシステムでは、OFDM（Orthogonal  Frequency  Division  Multiplexing、直交周波数分割多重）及びMIMO（Multi-Input  &  Multi-Output、マルチプル・インプット・マルチプル・アウトプット）のような主要な技術が導入されている。LTEシステムは、他の3GPPシステムとの相互作用をサポートする。異なるデュプレックスモードに従って、LTEシステムは、FDD-LTE（Frequency  Division  Duplexing-Long  Term  Evolution、周波数分割複信−ロングタームエボリューション）システム及びTDD-LTE（Time  Division  Duplexing-Long  Term  Evolution、時分割複信−ロングタームエボリューション）システムに分割され、２つの技術の主な違いは、エアインタフェースの物理レイヤ（例えば、フレーム構成、時分割設計及び同期）に主にある。FDDシステムでは、上りリンク及び下りリンク方向において、データは、周波数帯域の対を使用することにより、エアインタフェース上で受信及び送信される。TDDシステムでは、上りリンク及び下りリンク方向において、データは、同じ周波数帯域を使用することにより、異なるタイムスロット内で伝送される。FDDデュプレックスモードに比べて、TDDデュプレックスモードは、より高いスペクトル利用率を達成する。
【０００３】
既存のLTEシステムアーキテクチャでは、ネットワークデータ伝送の最小単位はフレームである。LTEプロトコルは、通常のタイムスロット内で、１つのフレームが持続時間で20msであり、10個のサブフレームに分割されることを指定する。FDDモードでは、各サブフレームは２つのタイムスロットに分割され、したがって、各タイムスロットは持続時間で1msである。TD-SCDMAへの円滑な進化を達成するために、TDDモードが導入されている。TDDモードでは、フレームは、まず２つの半フレームに分割され、各半フレームは5msである。各半フレームは、４つのノーマルサブフレームと１つのスペシャルサブフレームとを含む５つのサブフレームに分割される。各サブフレームは２つのタイムスロットに分割され、各タイムスロットは0.5msである。したがって、現在、TTI（Transmission  Time  Interval、伝送時間間隔）の最小持続時間は1ms又は0.5msである。通常のNormal  CP（Cyclic  Prefix、サイクリックプレフィクス）では、１つのタイムスロットは７個のシンボルを含み、したがって、１つのサブフレームは14個のシンボルを含む。拡張のExtended  CPでは、１つのタイムスロットは６個のシンボルを含み、したがって、１つのサブフレームは12個のシンボルを含む。
【０００４】
伝送遅延を低減するために、シンボルレベルの伝送が実現でき、すなわち、数シンボルのみが或いは１つのシンボルであっても各伝送に必要とされる。しかし、従来技術では、伝送のための全てのサブフレームは複数のシンボルを含み、上りリンク伝送のためのシンボルの数量は、下りリンク伝送のためのシンボルの数量と同じである。一般的に、上りリンク及び下りリンクサービスは非対称的である。したがって、シンボルがサブフレームを伝送することにより伝送される場合、サービススケジューリングは柔軟性がない。
【発明の概要】
【０００５】
本発明の実施例は、サービススケジューリングの柔軟性を改善するためのデータ伝送方法及び装置を提供する。
【０００６】
本発明の実施例の第１の態様は、基地局を提供し、
設定情報を端末に送信するように構成されたトランシーバモジュールであり、設定情報は、シンボル数量情報を含み、シンボル数量情報は、基地局が端末とデータ交換を実行するときに使用されるシンボルの数量を示すために使用され、トランシーバモジュールは、シンボルの単位でデータを端末に送信するように、或いはシンボルの単位で端末により送信されたデータを受信するように更に構成され、データは、時間領域においてm個のシンボルを占有し、mは、設定情報において示され且つ使用されるシンボルの数量であるトランシーバモジュールと、
設定情報を送信するようにトランシーバモジュールを制御し、シンボルの単位でデータを端末に送信するようにトランシーバモジュールを制御するように構成された処理モジュールとを含む。
【０００７】
本発明の実施例の第１の態様を参照して、本発明の実施例の第１の態様の第１の実現では、データは、シンボルの単位で符号化及び変調されたデータパケット内の伝送対象のデータを含む。
【０００８】
本発明の実施例の第１の態様又は第１の態様の第１の実現を参照して、本発明の実施例の第１の態様の第２の実現では、処理モジュールは、
端末のシンボルレベル伝送能力情報を取得するように更に構成され、シンボルレベル伝送能力情報は、端末がシンボルの単位でデータ交換を実行する能力を有することを示す。
【０００９】
本発明の実施例の第１の態様、第１の態様の第１の実現又は第１の態様の第２の実現のうちいずれか１つを参照して、本発明の実施例の第１の態様の第３の実現では、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【００１０】
本発明の実施例の第１の態様、第１の態様の第１の実現、第１の態様の第２の実現又は第１の態様の第３の実現のうちいずれか１つを参照して、本発明の実施例の第１の態様の第４の実現では、シンボル数量情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値である。
【００１１】
本発明の実施例の第１の態様、第１の態様の第１の実現、第１の態様の第２の実現、第１の態様の第３の実現又は第１の態様の第４の実現のうちいずれか１つを参照して、本発明の実施例の第１の態様の第５の実現では、トランシーバモジュールは、
シンボル物理下りリンク制御チャネルSym-PDCCH及び物理下りリンク共有チャネルPDSCHを使用することにより、シンボルの単位でデータを端末に送信するように更に具体的に構成され、Sym-PDCCHは、基地局により使用されるシンボルの数量に対応するPDSCHをスケジューリングするために使用される。
【００１２】
本発明の実施例の第１の態様の第５の実現を参照して、本発明の実施例の第１の態様の第６の実現では、Sym-PDCCHは、少なくとも１つの周波数帯域の変調及び符号化方式MCS制御情報を含む。
【００１３】
本発明の実施例の第１の態様、第１の態様の第１の実現、第１の態様の第２の実現、第１の態様の第３の実現、第１の態様の第４の実現、第１の態様の第５の実現又は第１の態様の第６の実現のうちいずれか１つを参照して、本発明の実施例の第１の態様の第７の実現では、トランシーバモジュールは、
上りリンクグラントを端末に送信し、
シンボルの単位で端末により送信されたデータを受信し、
シンボルの単位でフィードバック情報を端末に送信するように更に具体的に構成され、フィードバック情報に使用されるフォーマットは、シンボル物理下りリンク制御チャネルSym-PDCCHにより使用される制御シグナリングフォーマットである。
【００１４】
本発明の実施例の第１の態様、第１の態様の第１の実現、第１の態様の第２の実現、第１の態様の第３の実現、第１の態様の第４の実現、第１の態様の第５の実現、第１の態様の第６の実現又は第１の態様の第７の実現のうちいずれか１つを参照して、本発明の実施例の第１の態様の第８の実現では、トランシーバモジュールは、
不連続な周波数領域リソース上でシンボルの単位で端末により送信された参照信号を受信するように更に具体的に構成される。
【００１５】
本発明の実施例の第１の態様、第１の態様の第１の実現、第１の態様の第２の実現、第１の態様の第３の実現、第１の態様の第４の実現、第１の態様の第５の実現、第１の態様の第６の実現、第１の態様の第７の実現又は第１の態様の第８の実現のうちいずれか１つを参照して、本発明の実施例の第１の態様の第９の実現では、トランシーバモジュールは、
無線リソース制御RRCシグナリング、媒体アクセス制御制御エレメントMAC  CE又は物理レイヤ制御シグナリングのうちいずれか１つを使用することにより、設定情報を送信するように更に具体的に構成される。
【００１６】
本発明の実施例の第２の態様は、端末を提供し、
基地局により送信された設定情報を受信するように構成されたトランシーバモジュールであり、設定情報は、シンボル数量情報を含み、シンボル数量情報は、基地局が端末とデータ交換を実行するときに使用されるシンボルの数量を示すために使用され、トランシーバモジュールは、シンボルの単位でデータを基地局に送信するように、或いはシンボルの単位で基地局により送信されたデータを受信するように更に構成され、データは、時間領域においてm個のシンボルを占有し、mは、設定情報において示され且つ使用されるシンボルの数量であるトランシーバモジュールと、
基地局により送信された設定情報を受信するようにトランシーバモジュールを制御し、シンボルの単位でデータを基地局に送信するように、或いはシンボルの単位で基地局により送信されたデータを受信するようにトランシーバモジュールを制御するように構成された処理モジュールとを含む。
【００１７】
本発明の実施例の第２の態様を参照して、本発明の実施例の第２の態様の第１の実現では、シンボルの単位で伝送されるデータは、シンボルの単位で符号化及び変調されたデータパケット内の伝送対象のデータを含む。
【００１８】
本発明の実施例の第２の態様又は第２の態様の第１の実現を参照して、本発明の実施例の第２の態様の第２の実現では、トランシーバモジュールは、
基地局により送信された設定情報を受信する前に、端末のシンボルレベル伝送能力情報を基地局に送信するように更に構成され、シンボルレベル伝送能力情報は、端末がシンボルの単位でデータ交換を実行する能力を有することを示す。
【００１９】
本発明の実施例の第２の態様、第２の態様の第１の実現又は第２の態様の第２の実現のうちいずれか１つを参照して、本発明の実施例の第２の態様の第３の実現では、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【００２０】
本発明の実施例の第２の態様、第２の態様の第１の実現、第２の態様の第２の実現又は第２の態様の第３の実現のうちいずれか１つを参照して、本発明の実施例の第２の態様の第４の実現では、シンボル数量情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値である。
【００２１】
本発明の実施例の第２の態様、第２の態様の第１の実現、第２の態様の第２の実現、第２の態様の第３の実現又は第２の態様の第４の実現のうちいずれか１つを参照して、本発明の実施例の第２の態様の第５の実現では、トランシーバモジュールは、
シンボル物理下りリンク制御チャネルSym-PDCCH及び物理下りリンク共有チャネルPDSCHを使用することにより、シンボルの単位で基地局により送信されたデータを受信するように更に具体的に構成され、Sym-PDCCHは、基地局により使用されるシンボルの数量に対応するPDSCHをスケジューリングするために使用される。
【００２２】
本発明の実施例の第２の態様の第５の実現を参照して、本発明の実施例の第２の態様の第６の実現では、Sym-PDCCHは、少なくとも１つの周波数帯域の変調及び符号化方式MCS制御情報を含む。
【００２３】
本発明の実施例の第２の態様、第２の態様の第１の実現、第２の態様の第２の実現、第２の態様の第３の実現、第２の態様の第４の実現、第２の態様の第５の実現又は第２の態様の第６の実現のうちいずれか１つを参照して、本発明の実施例の第２の態様の第７の実現では、トランシーバモジュールは、
基地局により送信された上りリンクグラントを受信し、
シンボルの単位でデータを基地局に送信し、
シンボルの単位で基地局により送信されたフィードバック情報を受信するように更に具体的に構成され、フィードバック情報に使用されるフォーマットは、シンボル物理下りリンク制御チャネルSym-PDCCHにより使用される制御シグナリングフォーマットである。
【００２４】
本発明の実施例の第２の態様、第２の態様の第１の実現、第２の態様の第２の実現、第２の態様の第３の実現、第２の態様の第４の実現、第２の態様の第５の実現、第２の態様の第６の実現又は第２の態様の第７の実現のうちいずれか１つを参照して、本発明の実施例の第２の態様の第８の実現では、トランシーバモジュールは、
不連続な周波数領域リソース上でシンボルの単位で参照信号を基地局に送信するように更に具体的に構成される。
【００２５】
本発明の実施例の第２の態様、第２の態様の第１の実現、第２の態様の第２の実現、第２の態様の第３の実現、第２の態様の第４の実現、第２の態様の第５の実現、第２の態様の第６の実現、第２の態様の第７の実現又は第２の態様の第８の実現のうちいずれか１つを参照して、本発明の実施例の第２の態様の第９の実現では、トランシーバモジュールは、
無線リソース制御RRCシグナリング、媒体アクセス制御制御エレメントMAC  CE又は物理レイヤ制御シグナリングのうちいずれか１つを使用することにより、基地局により送信された設定情報を受信するように更に具体的に構成される。
【００２６】
本発明の実施例の第３の態様は、データ伝送方法を提供し、
基地局により、設定情報を端末に送信するステップであり、設定情報は、シンボル数量情報を含み、シンボル数量情報は、基地局が端末とデータ交換を実行するときに使用されるシンボルの数量を示すために使用されるステップと、
基地局により、シンボルの単位でデータを端末に送信するステップ、又はシンボルの単位で端末により送信されたデータを受信するステップであり、データは、時間領域においてm個のシンボルを占有し、mは、設定情報において示され且つ使用されるシンボルの数量であるステップとを含む。
【００２７】
本発明の実施例の第３の態様を参照して、本発明の実施例の第３の態様の第１の実現では、シンボルの単位で伝送されるデータは、シンボルの単位で符号化及び変調されたデータパケット内の伝送対象のデータを含む。
【００２８】
本発明の実施例の第３の態様又は第３の態様の第１の実現を参照して、本発明の実施例の第３の態様の第２の実現では、基地局により、設定情報を端末に送信する前に、この方法は、
端末のシンボルレベル伝送能力情報を取得するステップであり、シンボルレベル伝送能力情報は、端末がシンボルの単位でデータ交換を実行する能力を有することを示すステップを更に含む。
【００２９】
本発明の実施例の第３の態様、第３の態様の第１の実現又は第３の態様の第２の実現のうちいずれか１つを参照して、本発明の実施例の第３の態様の第３の実現では、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【００３０】
本発明の実施例の第３の態様、第３の態様の第１の実現、第３の態様の第２の実現又は第３の態様の第３の実現のうちいずれか１つを参照して、本発明の実施例の第３の態様の第４の実現では、シンボル数量情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値である。
【００３１】
本発明の実施例の第３の態様、第３の態様の第１の実現、第３の態様の第２の実現、第３の態様の第３の実現又は第３の態様の第４の実現のうちいずれか１つを参照して、本発明の実施例の第３の態様の第５の実現では、基地局により、シンボルの単位でデータを端末に送信するステップは、
基地局により、シンボル物理下りリンク制御チャネルSym-PDCCH及び物理下りリンク共有チャネルPDSCHを使用することにより、シンボルの単位でデータを端末に送信するステップを含み、Sym-PDCCHは、基地局により使用されるシンボルの数量に対応するPDSCHをスケジューリングするために使用される。
【００３２】
本発明の実施例の第３の態様の第５の実現を参照して、本発明の実施例の第３の態様の第６の実現では、Sym-PDCCHは、少なくとも１つの周波数帯域の変調及び符号化方式MCS制御情報を含む。
【００３３】
本発明の実施例の第３の態様、第３の態様の第１の実現、第３の態様の第２の実現、第３の態様の第３の実現、第３の態様の第４の実現、第３の態様の第５の実現又は第３の態様の第６の実現のうちいずれか１つを参照して、本発明の実施例の第３の態様の第７の実現では、この方法は、
基地局により、上りリンクグラントを端末に送信するステップと、
基地局により、シンボルの単位で端末により送信されたデータを受信するステップと、
基地局により、シンボルの単位でフィードバック情報を端末に送信するステップであり、フィードバック情報に使用されるフォーマットは、シンボル物理下りリンク制御チャネルSym-PDCCHにより使用される制御シグナリングフォーマットであるステップとを更に含む。
【００３４】
本発明の実施例の第３の態様、第３の態様の第１の実現、第３の態様の第２の実現、第３の態様の第３の実現、第３の態様の第４の実現、第３の態様の第５の実現、第１の態様の第６の実現又は第３の態様の第７の実現のうちいずれか１つを参照して、本発明の実施例の第３の態様の第８の実現では、基地局により、シンボルの単位でデータを端末に送信するステップは、
基地局により、不連続な周波数領域リソース上でシンボルの単位で端末により送信された参照信号を受信するステップを含む。
【００３５】
本発明の実施例の第３の態様、第３の態様の第１の実現、第３の態様の第２の実現、第３の態様の第３の実現、第３の態様の第４の実現、第３の態様の第５の実現、第３の態様の第６の実現、第３の態様の第７の実現又は第３の態様の第８の実現のうちいずれか１つを参照して、本発明の実施例の第３の態様の第９の実現では、基地局により、設定情報を端末に送信するステップは、
基地局により、無線リソース制御RRCシグナリング、媒体アクセス制御制御エレメントMAC  CE又は物理レイヤ制御シグナリングのうちいずれか１つを使用することにより、設定情報を送信するステップを含む。
【００３６】
本発明の実施例の第４の態様は、データ伝送方法を提供し、
端末により、基地局により送信された設定情報を受信するステップであり、設定情報は、シンボル数量情報を含み、シンボル数量情報は、基地局が端末とデータ交換を実行するときに使用されるシンボルの数量を示すために使用されるステップと、
端末により、シンボルの単位でデータを基地局に送信するステップ、又はシンボルの単位で基地局により送信されたデータを受信するステップであり、データは、時間領域においてm個のシンボルを占有し、mは、設定情報において示され且つ使用されるシンボルの数量であるステップとを含む。
【００３７】
本発明の実施例の第４の態様を参照して、本発明の実施例の第４の態様の第１の実現では、シンボルの単位で伝送されるデータは、シンボルの単位で符号化及び変調されたデータパケット内の伝送対象のデータを含む。
【００３８】
本発明の実施例の第４の態様又は第４の態様の第１の実現を参照して、本発明の実施例の第４の態様の第２の実現では、端末により、基地局により送信された設定情報を受信する前に、この方法は、
端末により、シンボルレベル伝送能力情報を基地局に送信するステップであり、シンボルレベル伝送能力情報は、端末がシンボルの単位でデータ交換を実行する能力を有することを示すステップを更に含む。
【００３９】
本発明の実施例の第４の態様、第４の態様の第１の実現又は第４の態様の第２の実現のうちいずれか１つを参照して、本発明の実施例の第４の態様の第３の実現では、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【００４０】
本発明の実施例の第４の態様、第４の態様の第１の実現、第４の態様の第２の実現又は第４の態様の第３の実現のうちいずれか１つを参照して、本発明の実施例の第４の態様の第４の実現では、シンボル数量情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値である。
【００４１】
本発明の実施例の第４の態様、第４の態様の第１の実現、第４の態様の第２の実現、第４の態様の第３の実現又は第４の態様の第４の実現のうちいずれか１つを参照して、本発明の実施例の第４の態様の第５の実現では、端末により、シンボルの単位で基地局により送信されたデータを受信するステップは、
シンボル物理下りリンク制御チャネルSym-PDCCH及び物理下りリンク共有チャネルPDSCHを使用することにより、シンボルの単位で基地局により送信されたデータを受信するステップであり、Sym-PDCCHは、基地局により使用されるシンボルの数量に対応するPDSCHをスケジューリングするために使用されるステップを含む。
【００４２】
本発明の実施例の第４の態様の第５の実現を参照して、本発明の実施例の第４の態様の第６の実現では、Sym-PDCCHは、少なくとも１つの周波数帯域の変調及び符号化方式MCS制御情報を含む。
【００４３】
本発明の実施例の第４の態様、第４の態様の第１の実現、第４の態様の第２の実現、第４の態様の第３の実現、第４の態様の第４の実現、第４の態様の第５の実現又は第４の態様の第６の実現のうちいずれか１つを参照して、本発明の実施例の第４の態様の第７の実現では、この方法は、
端末により、基地局により送信された上りリンクグラントを受信するステップと、
端末により、シンボルの単位でデータを基地局に送信するステップと、
端末により、シンボルの単位で基地局により送信されたフィードバック情報を受信するステップであり、フィードバック情報に使用されるフォーマットは、シンボル物理下りリンク制御チャネルSym-PDCCHにより使用される制御シグナリングフォーマットであるステップとを更に含む。
【００４４】
本発明の実施例の第４の態様、第４の態様の第１の実現、第４の態様の第２の実現、第４の態様の第３の実現、第４の態様の第４の実現、第４の態様の第５の実現、第４の態様の第６の実現又は第４の態様の第７の実現のうちいずれか１つを参照して、本発明の実施例の第４の態様の第８の実現では、端末により、シンボルの単位でデータを基地局に送信するステップは、
端末により、不連続な周波数領域リソース上でシンボルの単位で参照信号を基地局に送信するステップを含む。
【００４５】
本発明の実施例の第４の態様、第４の態様の第１の実現、第４の態様の第２の実現、第４の態様の第３の実現、第４の態様の第４の実現、第４の態様の第５の実現、第４の態様の第６の実現、第４の態様の第７の実現又は第４の態様の第８の実現のうちいずれか１つを参照して、本発明の実施例の第４の態様の第９の実現では、端末により、基地局により送信された設定情報を受信するステップは、
端末により、無線リソース制御RRCシグナリング、媒体アクセス制御制御エレメントMAC  CE又は物理レイヤ制御シグナリングのうちいずれか１つを使用することにより、基地局により送信された設定情報を受信するステップを含む。
【００４６】
本発明の実施例は、サービススケジューリングの柔軟性を改善するためのデータ伝送方法を含む。この方法は、基地局により、設定情報を端末に送信するステップであり、設定情報は、シンボル数量情報を含み、シンボル数量情報は、基地局が端末とデータ交換を実行するときに使用されるシンボルの数量を示すために使用されるステップと、基地局により、シンボルの単位で伝送されるデータを端末に送信するステップ、又はシンボルの単位で伝送されるデータを受信するステップであり、データは、時間領域においてm個のシンボルを占有し、mは、設定情報において示され且つ使用されるシンボルの数量であるステップとを含む。このように、基地局が端末とデータ交換を実行する前に、基地局は、シンボル数量情報を端末に送信し、これにより、端末は、データ交換を実行するために、データを端末に送信するために基地局により使用されるシンボルの数量を習得することができるだけでなく、データを基地局に送信するために端末により必要とされるシンボルの数量を決定することもできる。これは、サブフレーム又はシンボルの対称的な数量が上りリンク及び下りリンクデータ伝送に使用される必要がある従来技術の場合を回避し、サービススケジューリングの柔軟性を改善する。
【図面の簡単な説明】
【００４７】
本発明の実施例又は従来技術における技術的解決策をより明確に説明するために、以下に、実施例又は従来技術を説明するために必要な添付図面を簡単に説明する。明らかに、以下の説明における添付図面は、本発明の単にいくつかの実施例を示しているに過ぎず、当業者は、創造的取り組みなしに、依然としてこれらの添付図面から他の図面を導き得る。
【図１】本発明の実施例による基地局の概略図である。
【図２】本発明の実施例による端末の概略図である。
【図３】本発明の実施例による他の基地局の概略図である。
【図４】本発明の実施例による他の端末の概略図である。
【図５】本発明の実施例による具体的な適用シナリオの概略図である。
【図６】本発明の実施例によるデータ伝送方法の概略図である。
【図７】本発明の実施例による他のデータ伝送方法の概略図である。
【図８】本発明の実施例による他のデータ伝送方法の概略図である。
【図９】本発明の実施例による他のデータ伝送方法の概略図である。
【図１０】本発明の実施例による他のデータ伝送方法の概略図である。
【図１１】本発明の実施例による他のデータ伝送方法の概略図である。
【発明を実施するための形態】
【００４８】
本発明の実施例は、データ伝送方法及び装置を開示する。図１を参照すると、本発明の実施例による基地局の実施例は、トランシーバモジュール701と、処理モジュール702とを含む。
【００４９】
トランシーバモジュール701は、設定情報を端末に送信するように構成され、設定情報は、シンボル数量情報を含み、シンボル数量情報は、基地局が端末とデータ交換を実行するときに使用されるシンボルの数量を示すために使用される。
【００５０】
詳細については、S101を参照する。
【００５１】
トランシーバモジュール701は、シンボルの単位でデータを端末に送信するように、或いはシンボルの単位で端末により送信されたデータを受信するように更に構成され、データは、時間領域においてm個のシンボルを占有し、mは、設定情報において示され且つ使用されるシンボルの数量である。
【００５２】
詳細については、S102を参照する。
【００５３】
処理モジュール702は、設定情報を端末に送信するようにトランシーバモジュール701を制御し、シンボルの単位でデータを端末に送信するようにトランシーバモジュール701を制御するように構成される。
【００５４】
任意選択で、図１に対応する実施例に基づいて、処理モジュール702は、設定情報を端末に送信するようにトランシーバモジュール701を制御する前に、端末のシンボルレベル伝送能力情報を取得するように更に構成され、シンボルレベル伝送能力情報は、端末がシンボルの単位でデータ交換を実行する能力を有することを示す。
【００５５】
詳細については、S201を参照する。
【００５６】
任意選択で、シンボルの単位で伝送されるデータは、シンボルの単位で符号化及び変調されたデータパケット内の伝送対象のデータを含む。設定情報は、フィードバック間隔情報を更に含む。フィードバック間隔情報は、基地局が端末とデータ交換を実行するときにフィードバック情報を送信するための間隔を示すために使用される。フィードバック間隔情報は、上りリンクフィードバック間隔又は下りリンクフィードバック間隔のうち少なくとも１つを含む。シンボル数量情報は、データを端末に送信するために基地局により使用されるシンボルの数量又は端末がデータを基地局に送信するときに使用可能なシンボルの数量のうち少なくとも１つを含む。端末がデータを基地局に送信するときに使用可能なシンボルの数量は１つ以上の値である。
【００５７】
詳細については、S202を参照する。
【００５８】
任意選択で、トランシーバモジュール701は、シンボルの単位で符号化及び変調されたデータパケット内の伝送対象のデータをシンボルの単位で端末に送信するように更に具体的に構成され、データは、時間領域においてm個のシンボルを占有し、mは、設定情報において示され且つ使用されるシンボルの数量である。
【００５９】
任意選択で、トランシーバモジュール701は、シンボルの単位で端末により送信されたデータを受信するように更に具体的に構成され、データは、時間領域においてm個のシンボルを占有し、mは、使用される必要があるシンボルの数量に従って端末により決定されたシンボルの数量である。
【００６０】
詳細については、S203を参照する。
【００６１】
任意選択で、トランシーバモジュール701は、無線リソース制御RRCシグナリング、媒体アクセス制御制御エレメントMAC  CE又は物理レイヤ制御シグナリングのうちいずれか１つを使用することにより、設定情報を送信するように具体的に構成され、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含み、シンボル数量情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値である。
【００６２】
詳細については、S302を参照する。
【００６３】
任意選択で、トランシーバモジュール701は、シンボル物理下りリンク制御チャネルSym-PDCCH及び物理下りリンク共有チャネルPDSCHを使用することにより、シンボルの単位でデータを端末に送信するように更に具体的に構成され、PDSCHは、基地局により使用されるシンボルの数量に対応するチャネルを占有し、Sym-PDCCHは、PDSCHにより占有されたチャネル内の１つ以上のシンボルを占有し、Sym-PDCCHは、基地局により使用されるシンボルの数量に対応するPDSCHをスケジューリングするために使用され、Sym-PDCCHは、少なくとも１つの周波数帯域の変調及び符号化方式MCS制御情報を含む。
【００６４】
詳細については、S303を参照する。
【００６５】
任意選択で、トランシーバモジュール701は、不連続な周波数領域リソース上でシンボルの単位で端末により送信された参照信号を受信するように更に具体的に構成される。
【００６６】
詳細については、S303を参照する。
【００６７】
任意選択で、トランシーバモジュール701は、上りリンクグラントを端末に送信し、シンボルの単位で端末により送信されたデータを受信し、シンボルの単位でフィードバック情報を端末に送信するように更に具体的に構成され、フィードバック情報に使用されるフォーマットは、シンボル物理下りリンク制御チャネルSym-PDCCHにより使用される制御シグナリングフォーマットである。
【００６８】
詳細については、S304〜S306を参照する。
【００６９】
図２を参照すると、本発明の実施例による端末の実施例は、トランシーバモジュール901と、処理モジュール902とを含む。
【００７０】
トランシーバモジュール901は、基地局により送信された設定情報を受信するように構成され、設定情報は、シンボル数量情報を含み、シンボル数量情報は、基地局が端末とデータ交換を実行するときに使用されるシンボルの数量を示すために使用される。
【００７１】
詳細については、S401を参照する。
【００７２】
トランシーバモジュール901は、シンボルの単位でデータを基地局に送信するように、或いはシンボルの単位で基地局により送信されたデータを受信するように更に構成され、データは、時間領域においてm個のシンボルを占有し、mは、設定情報において示され且つ使用されるシンボルの数量である。
【００７３】
処理モジュール902は、シンボルの単位でデータを基地局に送信するようにトランシーバモジュール901を制御するように構成される。
【００７４】
詳細については、S402を参照する。
【００７５】
任意選択で、図２に対応する実施例に基づいて、トランシーバモジュール901は、基地局により送信された設定情報を受信する前に、端末のシンボルレベル伝送能力情報を基地局に送信するように更に構成され、シンボルレベル伝送能力情報は、端末がシンボルの単位でデータ交換を実行する能力を有することを示す。
【００７６】
詳細については、S501を参照する。
【００７７】
任意選択で、処理モジュール903は、端末のシンボルレベル伝送能力情報を基地局に送信するようにトランシーバモジュール901を制御するように更に構成される。
【００７８】
任意選択で、シンボルの単位で伝送されるデータは、シンボルの単位で符号化及び変調されたデータパケット内の伝送対象のデータを含む。設定情報は、フィードバック間隔情報を更に含む。フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。シンボル数量情報は、データを端末に送信するために基地局により使用されるシンボルの数量又は端末がデータを基地局に送信するときに使用可能なシンボルの数量のうち少なくとも１つを含む。端末がデータを基地局に送信するときに使用可能なシンボルの数量は１つ以上の値である。
【００７９】
任意選択で、トランシーバモジュール901は、シンボルの単位で符号化及び変調されたデータパケット内の伝送対象のデータを基地局に送信するように具体的に構成され、データは、時間領域においてm個のシンボルを占有し、mは、使用される必要があるシンボルの数量に従って端末により決定されたシンボルの数量であるか、或いは、シンボルの単位で符号化及び変調されたデータパケット内の伝送対象のデータを受信するように具体的に構成され、データは、時間領域においてm個のシンボルを占有し、mは、設定情報において示され且つ使用されるシンボルの数量である。
【００８０】
詳細については、S503を参照する。
【００８１】
任意選択で、トランシーバモジュール901は、無線リソース制御RRCシグナリング、媒体アクセス制御制御エレメントMAC  CE又は物理レイヤ制御シグナリングのうちいずれか１つを使用することにより、基地局により送信された設定情報を受信するように更に具体的に構成され、設定情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値であり、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【００８２】
詳細については、S602を参照する。
【００８３】
任意選択で、トランシーバモジュール901は、シンボルの単位で符号化及び変調されたデータパケット内の伝送対象のデータを基地局に送信するように更に具体的に構成され、データは、時間領域においてm個のシンボルを占有し、mは、使用される必要があるシンボルの数量に従って端末により決定されたシンボルの数量である。
【００８４】
任意選択で、トランシーバモジュール901は、不連続な周波数領域リソース上でシンボルの単位で参照信号を基地局に送信するように更に具体的に構成される。
【００８５】
任意選択で、トランシーバモジュール901は、シンボル物理下りリンク制御チャネルSym-PDCCH及び物理下りリンク共有チャネルPDSCHを使用することにより、シンボルの単位でデータを基地局に送信するように更に具体的に構成され、PDSCHは、基地局により使用されるシンボルの数量に対応するチャネルを占有し、Sym-PDCCHは、PDSCHにより占有されたチャネル内の１つ以上のシンボルを占有し、Sym-PDCCHは、基地局により使用されるシンボルの数量に対応するPDSCHをスケジューリングするために使用され、Sym-PDCCHは、少なくとも１つの周波数帯域の変調及び符号化方式MCS制御情報を含む。
【００８６】
詳細については、S603を参照する。
【００８７】
任意選択で、トランシーバモジュール901は、基地局により送信された上りリンクグラントを受信し、シンボルの単位でデータを基地局に送信し、シンボルの単位で基地局により送信されたフィードバック情報を受信するように更に具体的に構成され、フィードバック情報に使用されるフォーマットは、シンボル物理下りリンク制御チャネルSym-PDCCHにより使用される制御シグナリングフォーマットである。
【００８８】
詳細については、S604〜S606を参照する。
【００８９】
図３は、本発明の実施例による基地局の他の概略構成図である。基地局は、少なくとも１つの受信機1101と、少なくとも１つの送信機1102と、少なくとも１つのプロセッサ1103と、メモリ1104とを含んでもよい。
【００９０】
本発明のこの実施例における基地局は図３に示すものより多くの部分又は少ない部分を有してもよく、２つ以上の部分を組み合わせてもよく、或いは異なる部分構成及び配置を有してもよい。様々な部分は、１つ以上のシグナルプロセッサ及び／又は特定用途向け集積回路を含むハードウェア、ソフトウェア又はハードウェアとソフトウェアとの組み合わせを使用することにより実現されてもよい。
【００９１】
具体的には、送信機1102は、図１の実施例においてトランシーバモジュール701が送信動作を実行する機能を実現してもよい。
【００９２】
受信機1101は、図２の実施例においてトランシーバモジュール901が受信動作を実行する機能を実現してもよい。
【００９３】
プロセッサ1103は、図１の実施例における処理モジュール702の機能を実現してもよい。
【００９４】
図４は、本発明の実施例による端末の他の概略構成図である。端末は、少なくとも１つの受信機1201と、少なくとも１つの送信機1202と、少なくとも１つのプロセッサ1203と、メモリ1204とを含んでもよい。
【００９５】
本発明のこの実施例における端末は図４に示すものより多くの部分又は少ない部分を有してもよく、２つ以上の部分を組み合わせてもよく、或いは異なる部分構成及び配置を有してもよい。様々な部分は、１つ以上のシグナルプロセッサ及び／又は特定用途向け集積回路を含むハードウェア、ソフトウェア又はハードウェアとソフトウェアとの組み合わせを使用することにより実現されてもよい。
【００９６】
具体的には、送信機1202は、図２の実施例においてトランシーバモジュール901が送信動作を実行する機能を実現してもよい。
【００９７】
受信機1201は、図２の実施例においてトランシーバモジュール901が受信動作を実行する機能を実現してもよい。
【００９８】
プロセッサ1203は、図２の実施例における処理モジュール902の機能を実現してもよい。
【００９９】
以下に、例を使用することにより説明を提供する。具体的な例では、端末はUEであり、基地局はeNBである。図５を参照すると、本発明の実施例によるデータ伝送デバイスの具体的な適用シナリオの実施例は以下のステップを含む。
【０１００】
UEは、シンボルレベル伝送能力情報をeNBに送信する。
【０１０１】
eNBは、RRCシグナリングを送信することにより、設定情報をUEに送信し、設定情報は、eNBがデータをUEに送信するときに使用されるシンボルの数量、すなわち、3を含み、UEがデータをeNBに送信するときに使用されるシンボルの数量、すなわち、4、5又は6のうちいずれか１つを更に含む。
【０１０２】
eNBは、シンボル物理下りリンク制御チャネルSym-PDCCH及び物理下りリンク共有チャネルPDSCHを使用することにより、３つのシンボルの単位で伝送されるデータを端末に送信する。
【０１０３】
eNBは、上りリンクグラントをUEに送信し、UEは、５つのシンボルの単位でデータをeNBに送信する。
【０１０４】
eNBは、データをUEにフィードバックし、データをフィードバックするためにeNBにより使用されるフォーマットは、Sym-PDCCHにより使用される制御シグナリングフォーマットである。
【０１０５】
図６を参照すると、本発明の実施例によるデータ伝送方法の実施例は以下のステップを含む。
【０１０６】
101.基地局は、設定情報を端末に送信し、設定情報は、シンボル数量情報を含み、シンボル数量情報は、基地局が端末とデータ交換を実行するときに使用されるシンボルの数量を示すために使用される。
【０１０７】
既存のLTEシステムアーキテクチャでは、基地局が端末とデータ交換を実行するときに、相互伝送のためのフレーム又はサブフレームの数量は、制御プロトコルを使用することにより予め設定され、下りリンク伝送のためのフレーム又はサブフレームの数量及び上りリンク伝送のためのフレーム又はサブフレームの数量は対称的である。しかし、実際の用途では、サービスの上りリンクデータ及び下りリンクデータは、一般的に非対称的である。したがって、サービスの上りリンクデータ及び下りリンクデータが非対称的であるときに、リソースが浪費されるか、或いはリソースが不十分であり且つより多くのフレーム及びサブフレームがデータ伝送のために必要とされる。これは、伝送遅延を増加させる。本発明では、基地局は、基地局が端末とデータ交換を実行するときに使用されるシンボルの数量を示すために、シンボル数量情報を端末に送信する。基地局は、実際のサービスに必要とされるリソースに従って、使用されるシンボルの数量についての情報を端末に送信してもよく、これにより、端末は、データを送信するために基地局により使用されるシンボルの数量及び端末がデータを基地局に送信するときに使用される必要があるシンボルの数量を習得する。このように、より少ないリソースが浪費され、伝送遅延が低減される。
【０１０８】
本発明のこの実施例におけるシンボルは、時間領域の最小単位、例えば、OFDMシンボルである点に留意すべきである。
【０１０９】
任意選択で、設定情報は、フィードバック間隔情報を更に含む。フィードバック間隔情報は、基地局が端末とデータ交換を実行するときのフィードバック間隔を示すために使用され、フィードバック間隔情報は、上りリンクフィードバック間隔及び下りリンクフィードバック間隔を含む。
【０１１０】
基地局により端末に送信される設定情報は、上りリンクフィードバック間隔及び下りリンクフィードバック間隔を更に含み、これにより、基地局により送信されたデータを受信するときに、端末は、基地局の下りリンクフィードバック間隔に従って端末のサービス処理を決定してもよい。これは、基地局がデータを端末に送信するときに端末が他のサービス処理を実行しているため、より大きいデータ伝送遅延の発生を回避する。同様に、基地局は、端末の上りリンクフィードバック間隔に従って基地局のサービス処理を決定する。
【０１１１】
設定情報は、フィードバック間隔情報を更に含み、フィードバック間隔情報は、基地局が端末とデータ交換を実行するときのフィードバック間隔を示すために使用され、フィードバック間隔情報は、上りリンクフィードバック間隔及び下りリンクフィードバック間隔を含む点に留意すべきである。この特徴によりもたらされる有利な効果は、基地局と端末との間の伝送遅延を低減することであり、柔軟性のないサービススケジューリングの従来技術の問題を解決するための本発明のこの実施例における必須でない技術的特徴である。
【０１１２】
102.基地局は、シンボルの単位でデータを端末に送信するか、或いはシンボルの単位で端末により送信されたデータを受信し、データは、時間領域においてm個のシンボルを占有し、mは、設定情報において示され且つ使用されるシンボルの数量である。
【０１１３】
シンボルの単位でデータを伝送する目的は、基地局と端末との間のデータ伝送レートを増加させ、より短い遅延でデータ交換を実現することである。基地局は、サービススケジューリングの柔軟性を改善するために、使用されるシンボルの数量を含む設定情報を使用することにより、端末とデータ交換を実行する。データは、時間領域においてm個のシンボルを占有し、mは１以上の自然数である点に留意すべきである。さらに、基地局がデータを端末に送信するときに使用されるシンボルの数量m及び基地局が端末により送信されたデータを受信するときに使用されるシンボルの数量mは、同じでもよく、或いは異なってもよい。これは、実際のサービススケジューリングの状態に依存し、ここでは限定されない。
【０１１４】
本発明のこの実施例では、基地局が端末とデータ交換を実行する前に、基地局は、シンボル数量情報を端末に送信し、これにより、端末は、データを端末に送信するために基地局により使用されるシンボルの数量を習得することができるだけでなく、データを基地局に送信するために端末により必要とされるシンボルの数量を決定することもできる。これは、サブフレーム又はシンボルの対称的な数量が上りリンク及び下りリンクデータ伝送に使用される必要がある従来技術の場合を回避し、サービススケジューリングの柔軟性を改善する。
【０１１５】
前述の実施例では、基地局は、設定情報を端末に送信し、設定情報は、シンボル数量情報を含み、シンボル数量情報は、基地局が端末とデータ交換を実行するときに使用されるシンボルの数量を示すために使用される。基地局は、シンボルの単位でデータを端末に送信するか、或いはシンボルの単位で端末により送信されたデータを受信する。データは、時間領域においてm個のシンボルを占有し、mは、設定情報において示され且つ使用されるシンボルの数量である。実際の用途では、基地局は、まず、端末のシンボルレベル伝送能力情報を更に取得してもよい。設定情報は、フィードバック間隔情報を更に含み、シンボル数量情報は、データを端末に送信するために基地局により使用されるシンボルの数量及び端末がデータを基地局に送信するときに使用可能なシンボルの数量を含んでもよい。詳細は以下に提供される。図７を参照すると、本発明の実施例によるデータ伝送方法の他の実施例は以下のステップを含む。
【０１１６】
201.基地局は、端末のシンボルレベル伝送能力情報を取得し、シンボルレベル伝送能力情報は、端末がシンボルの単位でデータ交換を実行する能力を有することを示す。
【０１１７】
基地局が端末とシンボルレベルのデータ伝送を実行するときに、端末は、シンボルレベル伝送能力を有し、基地局は、まず、端末のシンボルレベル伝送能力情報を取得する。これは、基地局と端末との間のシンボルレベルの伝送の信頼性を改善することができる。基地局により端末のシンボルレベル伝送能力情報を取得する詳細な処理は以下の通りである。端末は、端末のシンボルレベル伝送能力情報をネットワーク側に送信し、次に、基地局は、ネットワーク側から端末のシンボルレベル伝送能力情報を取得するか、或いは、基地局は、端末のシンボルレベル伝送能力情報の要求を端末に送信し、端末は、要求を受信した後に、シンボルレベル伝送能力情報を基地局に送信する。
【０１１８】
さらに、端末のシンボルレベル伝送能力情報は、システム初期化中に基地局において予め設定されてもよい点に留意すべきである。したがって、基地局が端末とデータ交換を実行するときに、基地局は、端末のシンボルレベル伝送能力情報を取得している。
【０１１９】
202.基地局は、設定情報を端末に送信し、設定情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値であり、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【０１２０】
基地局により端末に送信される設定情報は、基地局がデータを端末に送信するときに使用されるシンボルの数量を含む。基地局により送信されたデータを受信するときに、端末は、データに使用されるシンボルの数量を習得してもよく、これにより、端末は、基地局により送信されたデータを迅速に解析することができる。基地局により端末に送信される設定情報は、端末がデータを基地局に送信するときに使用可能なシンボルの数量を含み、端末がデータを基地局に送信するときに使用可能なシンボルの数量は１つ以上の値である。データを基地局に送信するときに、端末は、データを基地局に送信するために使用されるシンボルの数量を決定してもよい。このように、リソース利用率及びサービススケジューリングの柔軟性が改善される。
【０１２１】
基地局により端末に送信される設定情報は、上りリンクフィードバック間隔又は下りリンクフィードバック間隔のうち少なくとも１つを更に含む。設定情報が下りリンクフィードバック間隔を含むときに、端末は、基地局により送信されたデータを受信するときに、基地局の下りリンクフィードバック間隔に従って端末のサービス処理を決定してもよい。これは、基地局がデータを端末に送信するときに端末が他のサービス処理を実行しているため、より大きいデータ伝送遅延の発生を回避する。同様に、設定情報が上りリンクフィードバック間隔を含むときに、基地局は、端末の上りリンクフィードバック間隔に従って基地局のサービス処理を決定する。
【０１２２】
203.基地局は、シンボルの単位でデータを端末に送信するか、或いはシンボルの単位で端末により送信されたデータを受信し、データは、時間領域においてm個のシンボルを占有し、mは、設定情報において示され且つ使用されるシンボルの数量である。
【０１２３】
既存のLTEシステムアーキテクチャでは、サブフレーム又はタイムスロットがデータ交換のための最小単位として使用され、したがって、データパケットは、毎回サブフレーム又はタイムスロットの単位で符号化及び変調される。本発明では、伝送がシンボルの単位で実行されるときに、データパケットは、より細かい時間粒度及びより高い柔軟性を達成するために、毎回シンボルの単位で符号化及び変調される。
【０１２４】
基地局により端末に送信される設定情報は、端末がデータを基地局に送信するときに使用される必要があるシンボルの数量を含んでもよく、使用される必要があるシンボルの数量は、１つの値でもよく、或いは複数の値でもよい。例えば、設定情報において、端末がデータを基地局に送信するときに使用可能なシンボルの数量は、2、3又は4でもよい。端末は、データを基地局に送信するために使用されるシンボルの数量を決定するために、そのうちの１つの値、例えば、3を選択する。実際の用途では、基地局が端末とデータ交換を実行するときに、通常ではサービススケジューリングが複数回実行される。例えば、サービスが基地局と端末との間で実行されるときに、サービススケジューリングは、10回実行される必要があってもよい。この場合、使用されるシンボルの数量を決定するために、端末が使用される必要があるシンボルの数量を選択する場合は、実際の状況に従って変更されてもよい。例えば、３回のデータ伝送の後に、端末は、データ交換を実行するために、使用されるシンボルの数量を再決定する。具体的には、設定は、前述のような周期的に、イベントトリガー方式で、或いは時間に基づく方式で実行されてもよい。これは、ここでは限定されない。
【０１２５】
設定情報においてデータを基地局に送信するために端末により使用されるシンボルの数量が複数の値であるときに、端末は、複数量のシンボルから１つを決定した後に、指示情報を基地局に更に送信してもよい点に留意すべきである。指示情報は、端末により決定されたシンボルの数量、すなわち、端末がデータを基地局に送信するときに使用されるシンボルの数量を示すために使用され、これにより、基地局は、端末により送信されたデータを正確に解析することができる。端末が指示情報を基地局に送信しない場合、基地局は、ブラインド検出を用いて、端末により送信されたデータを依然として解析することができる。例えば、設定情報において、端末がデータを基地局に送信するときに使用可能なシンボルの数量は、2、3又は4でもよい。端末がシンボルの数量、例えば、3を決定した後に、端末は、３つのシンボルの単位でデータを基地局に送信する。端末により送信されたデータを受信した後に、基地局は、設定情報においてデータを基地局に送信するために端末により使用可能な複数量のシンボルの順序に従って受信したデータを順次に解析してもよい。基地局は、まず、２つのシンボルの長さを使用することにより、受信したデータを解析する。解析の後にデータが不正確であると習得した場合、基地局は、３つのシンボルの長さを使用することにより、データを解析し続け、これにより、正確なデータを取得する。
【０１２６】
本発明のこの実施例では、設定情報は、データを端末に送信するために基地局により使用されるシンボルの数量又は端末がデータを基地局に送信するときに使用可能なシンボルの数量のうち少なくとも１つを含み、データを基地局に送信するために端末により使用されるシンボルの数量は１つ以上の値である。基地局は、使用される必要があるシンボルの数量に従って決定されたシンボルの数量に従って端末により送信されたデータを受信し、データは、シンボルの単位で符号化及び変調されたデータパケット内にある。このように、端末は、データを基地局に送信するために使用されるシンボルの数量を選択してもよく、これにより、サービススケジューリングの柔軟性を改善する。設定情報は、フィードバック間隔情報を更に含み、フィードバック間隔情報は、上りリンクフィードバック間隔又は下りリンクフィードバック間隔のうち少なくとも１つを含む。このように、基地局が端末とデータ交換を実行するときに、リアルタイム処理が通信相手のフィードバック時間に従って決定されてもよく、ネットワーク伝送レートが増加する。
【０１２７】
前述の実施例では、基地局は、設定情報を端末に送信し、基地局は、シンボルの単位で伝送されるデータを端末に送信し、基地局は、設定情報に従って端末により送信され且つシンボルの単位で伝送されたデータを受信する。実際の用途では、基地局が設定情報を端末に送信する複数の方式が存在する。基地局は、シンボルの単位でデータを端末に送信するか、或いはシンボルの単位で端末により送信されたデータを受信し、基地局は設定情報に従って端末により送信され且つシンボルの単位で伝送されるデータを受信するときに、伝送チャネルを更に制御してもよい。詳細は以下に提供される。図８を参照すると、本発明の実施例によるデータ伝送方法の他の実施例は以下のステップを含む。
【０１２８】
301.基地局は、端末のシンボルレベル伝送能力情報を取得し、シンボルレベル伝送能力情報は、端末がシンボルの単位でデータ交換を実行する能力を有することを示す。
【０１２９】
詳細については、S201を参照する。
【０１３０】
302.基地局は、無線リソース制御RRCシグナリング、媒体アクセス制御制御エレメントMAC  CE又は物理レイヤ制御シグナリングのうちいずれか１つを使用することにより、設定情報を送信し、設定情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値であり、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【０１３１】
RRC（Radio  Resource  Control、無線リソース制御）、MAC  CE（Media  Access  Control  Control  Element、媒体アクセス制御制御エレメントMAC  CE）及び物理レイヤ制御シグナリングは、それぞれネットワーク伝送プロトコルのレイヤ３、レイヤ２及びレイヤ１に属する。したがって、基地局は、３レイヤの伝送モードのうちいずれか１つで設定情報を端末に送信してもよい。
【０１３２】
303.基地局は、シンボル物理下りリンク制御チャネルSym-PDCCH及び物理下りリンク共有チャネルPDSCHを使用することにより、シンボルの単位でデータを端末に送信し、PDSCHは、基地局により使用されるシンボルの数量に対応するチャネルを占有し、Sym-PDCCHは、PDSCHにより占有されたチャネル内の１つ以上のシンボルを占有し、Sym-PDCCHは、基地局により使用されるシンボルの数量に対応するPDSCHをスケジューリングするために使用され、Sym-PDCCHは、少なくとも１つの周波数帯域の変調及び符号化方式MCS制御情報を含む。
【０１３３】
任意選択で、基地局は、不連続な周波数領域リソース上でシンボルの単位で端末により送信された参照信号を更に受信してもよい。
【０１３４】
下りリンクデータ伝送処理において、シンボル物理レイヤ制御チャネルSym-PDCCHを使用することにより伝送される内容は、データチャネルのリソース位置情報、使用されるMCS（Modulation  and  Coding  Scheme、変調及び符号化方式）情報等を含み、これにより、端末は、リソース位置情報及びMCS情報に従ってデータを復号及び受信することができる。従来技術におけるPDCCHと比べて、Sym-PDCCHは、より短い長さ及びより小さいフォーマットを有し、これにより、端末は、対応する下りリンク共有チャネルPDSCHについての情報を取得し、次に、対応するPDSCHを使用することにより基地局により送信されたデータを受信するために、より迅速にデータを復号及び受信することができる。
【０１３５】
従来技術では、データがサブフレームに基づいて送信されるときに、基地局は、スケジューリング中に１回のみMCSを送信する。本発明では、データは、複数のシンボルに基づいて送信される。したがって、端末は、周波数領域において比較的大量の周波数帯域を占有し、端末が異なる周波数領域位置にあるときに、端末のチャネル品質は変化する。本発明のこの実施例では、Sym-PDCCH（Symbol  Physical  Downlink  Control  Channel,、シンボル物理下りリンク制御チャネル）は、基地局により使用されるシンボルの数量に対応するPDSCH（Physical  Downlink  Shared  Channel、物理下りリンク共有チャネル）をスケジューリングするために使用され、Sym-PDCCHは、少なくとも１つの周波数帯域の変調及び符号化方式MCS制御情報を含む。したがって、Sym-PDCCHにより制御される異なるPDSCHは、少なくとも１つの周波数帯域のMCS情報を含み、すなわち、伝送チャネルの異なる周波数領域に複数のMCS情報が存在する。これは、チャネル伝送効率を改善する。
【０１３６】
従来技術では、最小伝送単位がサブフレームであるため、単一のTTI（Transmission  Time  Interval、伝送時間間隔）においてスケジューリングされ得る端末の数量は比較的大きく、比較的大量の制御情報が必要とされる。したがって、物理下りリンク制御チャネルPDCCH及び物理下りリンク共有チャネルPDSCHは、異なるチャネルを占有し、PDCCHは、個別にチャネルを占有する必要がある。本発明のこの実施例では、単一のTTIにおいて占有されるリソースの数量は比較的小さいため、単一のTTIにおいてスケジューリングされる端末の数量は低減され、これにより、制御チャネルのオーバーヘッドを低減する。したがって、PDSCHは、基地局により使用されるシンボルの数量に対応するチャネルを占有してもよく、Sym-PDCCHは、PDSCHにより占有されたチャネル内の１つ以上のシンボルを占有する。例えば、基地局により使用されるシンボルの数量が1であるときに、PDSCHは、シンボルの数量に対応するチャネルを占有し、Sym-PDCCHは、PDSCHにより占有されたチャネル内の１つ以上のシンボルを占有する。基地局により使用されるシンボルの数量が複数の値であるときに、PDSCHは、複数量のシンボルに対応するチャネルを占有し、Sym-PDCCHは、PDSCHにより占有されたチャネル内の１つ以上のシンボルを占有する。好ましくは、Sym-PDCCHは、PDSCHにより占有された複数のチャネル内の最初のシンボルを占有する。本発明のこの実施例では、基地局と端末との間のデータ交換に使用される最小シンボル単位はシンボルであるため、必要とされる制御情報の量は比較的小さい。したがって、Sym-PDCCHは、個別にチャネルを占有する必要がなく、チャネル浪費が低減される。シンボルが伝送のための基本単位として使用されるため、毎回伝送されるデータの量は、サブフレームの単位で伝送されるデータの量より小さい。各シンボルを使用することによりスケジューリングされる端末の数量がサブフレームを使用することによりスケジューリングされる端末の数量と依然として同じであるときに、より多くのセグメントが引き起こされる。例えば、各端末は、100バイトを送信する必要があり、現在、各シンボルは、80バイトのみを伝送するために使用され得る。各シンボルが依然として複数の端末、例えば、４つの端末をスケジューリングするために使用される場合、各端末は、平均では各シンボル上で20バイトのみを伝送することができる。したがって、100バイトが５回セグメント化される必要がある。各シンボルが１つの端末のみをスケジューリングするために使用される場合、100バイトは２回セグメント化される必要がある。これは、セグメント化の回数の数量を低減し、端末により実行されるブラインド検出の回数の数量を低減する。
【０１３７】
端末が異なる周波数領域位置にあるときに、端末のチャネル品質は変化する。したがって、端末は、チャネル品質を推定するための参照信号を更に送信してもよい。従来技術では、端末の参照信号は、伝送のための全体シンボルを常に占有する。しかし、シンボルレベルの伝送処理では、単一のシンボルのみが送信される必要がある場合、参照信号が過大なデータチャネルを占有するため、端末は、単一シンボルの伝送中に有効なデータを送信することができない。したがって、本発明では、端末は、不連続な周波数領域リソース上でシンボルの単位で参照信号を送信してもよい。この前に、基地局は、不連続な周波数領域リソース上の参照信号のマスク及び位置情報を端末に送信してもよく、基地局は、不連続な周波数領域リソース上の参照信号のマスク及び位置情報に従ってデータを受信する。さらに、参照信号を送信するために端末により使用される周波数領域リソースは、部分的に連続でもよい点に留意すべきである。
【０１３８】
304.基地局は、上りリンクグラントを端末に送信する。
【０１３９】
下りリンク方向において、基地局は、データを端末に送信することができる。上りリンク方向において、端末がデータを基地局に送信する必要がある場合、端末は、まず、基地局により送信された上りリンクグラントを受信し、次にデータを端末に送信する必要がある。
【０１４０】
305.基地局は、シンボルの単位で端末により送信されたデータを受信する。
【０１４１】
基地局により送信された上りリンクグラントを受信した後に、端末は、設定情報に従ってシンボルの単位でデータを基地局に送信することができる。
【０１４２】
306.基地局は、シンボルの単位でフィードバック情報を端末に送信し、フィードバック情報に使用されるフォーマットは、シンボル物理下りリンク制御チャネルSym-PDCCHにより使用される制御シグナリングフォーマットである。
【０１４３】
基地局は、シンボルを使用することにより端末とデータ交換を実行するため、単一の伝送処理においてスケジューリングされ得る端末の数量は低減され、端末が制御チャネルを検出する回数は低減される。したがって、Sym-PDCCHにより使用される制御シグナリングフォーマットは、端末の上りリンクデータフィードバックフォーマットとして使用されてもよく、これにより、システム利用率を改善する。
【０１４４】
本発明のこの実施例では、基地局は、シンボル物理下りリンク制御チャネルSym-PDCCH及び物理下りリンク共有チャネルPDSCHを使用することにより、シンボルの単位で伝送されるデータを端末に送信する。Sym-PDCCHは、基地局により使用されるシンボルの数量に対応するPDSCHをスケジューリングするために使用され、Sym-PDCCHは、変調及び符号化方式MCS制御情報を含む。したがって、Sym-PDCCHにより制御される異なるPDSCHは、少なくとも１つの周波数帯域のMCS情報を含み、すなわち、伝送チャネルの異なる周波数領域に複数のMCS情報が存在する。これは、チャネル伝送効率を改善する。
【０１４５】
図９を参照すると、本発明の実施例によるデータ伝送方法の他の実施例は以下のステップを含む。
【０１４６】
401.端末は、基地局により送信された設定情報を受信し、設定情報は、シンボル数量情報を含み、シンボル数量情報は、基地局が端末とデータ交換を実行するときに使用されるシンボルの数量を示すために使用される。
【０１４７】
詳細については、S101を参照する。
【０１４８】
402.端末は、シンボルの単位でデータを基地局に送信するか、或いはシンボルの単位で基地局により送信されたデータを受信し、データは、時間領域においてm個のシンボルを占有し、mは、設定情報において示され且つ使用されるシンボルの数量である。
【０１４９】
詳細については、S102を参照する。
【０１５０】
図１０を参照すると、本発明の実施例によるデータ伝送方法の他の実施例は以下のステップを含む。
【０１５１】
501.端末は、端末のシンボルレベル伝送能力情報を基地局に送信し、シンボルレベル伝送能力情報は、端末がシンボルの単位でデータ交換を実行する能力を有することを示す。
【０１５２】
詳細については、S201を参照する。
【０１５３】
502.端末は、基地局により送信された設定情報を受信し、設定情報は、データを端末に送信するために基地局により使用されるシンボルの数量又は端末がデータを基地局に送信するときに使用可能なシンボルの数量のうち少なくとも１つを含み、端末がデータを基地局に送信するときに使用可能なシンボルの数量は１つ以上の値であり、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【０１５４】
詳細については、S202を参照する。
【０１５５】
503.端末は、シンボルの単位でデータを基地局に送信するか、或いはシンボルの単位で基地局により送信されたデータを受信し、データは、時間領域においてm個のシンボルを占有し、mは、設定情報において示され且つ使用されるシンボルの数量である。
【０１５６】
詳細については、S203を参照する。
【０１５７】
図１０を参照すると、本発明の実施例によるデータ伝送方法の他の実施例は以下のステップを含む。
【０１５８】
601.端末は、端末のシンボルレベル伝送能力情報を基地局に送信し、シンボルレベル伝送能力情報は、端末がシンボルの単位でデータ交換を実行する能力を有することを示す。
【０１５９】
詳細については、S301を参照する。
【０１６０】
602.端末は、無線リソース制御RRCシグナリング、媒体アクセス制御制御エレメントMAC  CE又は物理レイヤ制御シグナリングのうちいずれか１つを使用することにより、基地局により送信された設定情報を受信し、設定情報は、データを端末に送信するために基地局により使用されるシンボルの数量又は端末がデータを基地局に送信するときに使用可能なシンボルの数量のうち少なくとも１つを含み、使用される必要があるシンボルの数量は１つ以上の値であり、設定情報は、フィードバック間隔情報を更に含み、フィードバック間隔情報は、基地局が端末とデータ交換を実行するときにフィードバック情報を送信するための間隔を示すために使用され、フィードバック間隔情報は、上りリンクフィードバック間隔又は下りリンクフィードバック間隔のうち少なくとも１つを含む。
【０１６１】
詳細については、S302を参照する。
【０１６２】
603.端末は、シンボル物理下りリンク制御チャネルSym-PDCCH及び物理下りリンク共有チャネルPDSCHを使用することにより、シンボルの単位で基地局により送信されたデータを受信し、PDSCHは、基地局により使用されるシンボルの数量に対応するチャネルを占有し、Sym-PDCCHは、PDSCHにより占有されたチャネル内の１つ以上のシンボルを占有し、Sym-PDCCHは、基地局により使用されるシンボルの数量に対応するPDSCHをスケジューリングするために使用され、Sym-PDCCHは、少なくとも１つの周波数帯域の変調及び符号化方式MCS制御情報を含む。
【０１６３】
任意選択で、端末は、不連続な周波数領域リソース上でシンボルの単位で参照信号を基地局に更に送信してもよい。
【０１６４】
詳細については、S303を参照する。
【０１６５】
604.端末は、基地局により送信された上りリンクグラントを受信する。
【０１６６】
詳細については、S304を参照する。
【０１６７】
605.端末は、シンボルの単位でデータを基地局に送信する。
【０１６８】
詳細については、S305を参照する。
【０１６９】
606.端末は、シンボルの単位で基地局により送信されたフィードバック情報を受信し、フィードバック情報に使用されるフォーマットは、Sym-PDCCHにより使用される制御シグナリングフォーマットである。
【０１７０】
詳細については、S306を参照する。
【０１７１】
前述の実施例は、単に本発明の技術的解決策を説明することを意図しているに過ぎず、本発明を限定することを意図するものではない。本発明について前述の実施例を参照して詳細に説明したが、当業者は、本発明の実施例の技術的解決策の要旨及び範囲を逸脱することなく、依然として前述の実施例に記載の技術的解決策に変更を行ってもよく、或いはそのいくつかの技術的特徴に等価置換を行ってもよいことを理解するべきである。
【図１】
2018517349.tif 000003
【図２】
2018517349.tif 000004
【図３】
2018517349.tif 000005
【図４】
2018517349.tif 000006
【図５】
2018517349.tif 000007
【図６】
2018517349.tif 000008
【図７】
2018517349.tif 000009
【図８】
2018517349.tif 000010
【図９】
2018517349.tif 000011
【図１０】
2018517349.tif 000012
【図１１】
2018517349.tif 000013
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
設定情報を端末に送信するように構成されたトランシーバモジュールであり、前記設定情報は、シンボル数量情報を含み、前記シンボル数量情報は、基地局が前記端末とデータ交換を実行するときに使用されるシンボルの数量を示すために使用され、前記トランシーバモジュールは、シンボルの単位でデータを前記端末に送信するように、或いはシンボルの単位で前記端末により送信されたデータを受信するように更に構成され、前記データは、時間領域においてm個のシンボルを占有し、mは、前記設定情報において示され且つ使用されるシンボルの数量であるトランシーバモジュールと、
前記設定情報を送信するように前記トランシーバモジュールを制御し、シンボルの単位で前記データを前記端末に送信するように前記トランシーバモジュールを制御するように構成された処理モジュールと
を含む基地局。
【請求項２】
前記データは、シンボルの単位で符号化及び変調されたデータパケット内の伝送対象のデータを含む、請求項１に記載の基地局。
【請求項３】
前記処理モジュールは、
前記端末のシンボルレベル伝送能力情報を取得するように更に構成され、前記シンボルレベル伝送能力情報は、前記端末が前記シンボルの単位でデータ交換を実行する能力を有することを示す、請求項１又は２に記載の基地局。
【請求項４】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項１乃至３のうちいずれか１項に記載の基地局。
【請求項５】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項１乃至４のうちいずれか１項に記載の基地局。
【請求項６】
前記トランシーバモジュールは、
シンボル物理下りリンク制御チャネルSym-PDCCH及び物理下りリンク共有チャネルPDSCHを使用することにより、シンボルの単位で前記データを前記端末に送信するように更に構成され、前記Sym-PDCCHは、前記基地局により使用される前記シンボルの数量に対応するPDSCHをスケジューリングするために使用される、請求項１乃至５のうちいずれか１項に記載の基地局。
【請求項７】
前記Sym-PDCCHは、少なくとも１つの周波数帯域の変調及び符号化方式MCS制御情報を含む、請求項６に記載の基地局。
【請求項８】
前記トランシーバモジュールは、
上りリンクグラントを前記端末に送信し、
シンボルの単位で前記端末により送信された前記データを受信し、
シンボルの単位でフィードバック情報を前記端末に送信するように更に構成され、前記フィードバック情報に使用されるフォーマットは、前記シンボル物理下りリンク制御チャネルSym-PDCCHにより使用される制御シグナリングフォーマットである、請求項１乃至７のうちいずれか１項に記載の基地局。
【請求項９】
前記トランシーバモジュールは、
無線リソース制御RRCシグナリング、媒体アクセス制御制御エレメントMAC  CE又は物理レイヤ制御シグナリングのうちいずれか１つを使用することにより、前記設定情報を送信するように更に構成される、請求項１乃至８のうちいずれか１項に記載の基地局。
【請求項１０】
基地局により送信された設定情報を受信するように構成されたトランシーバモジュールであり、前記設定情報は、シンボル数量情報を含み、前記シンボル数量情報は、前記基地局が端末とデータ交換を実行するときに使用されるシンボルの数量を示すために使用され、前記トランシーバモジュールは、シンボルの単位でデータを前記基地局に送信するように、或いはシンボルの単位で前記基地局により送信されたデータを受信するように更に構成され、前記データは、時間領域においてm個のシンボルを占有し、mは、前記設定情報において示され且つ使用されるシンボルの数量であるトランシーバモジュールと、
シンボルの単位で前記データを前記基地局に送信するように前記トランシーバモジュールを制御するように構成された処理モジュールと
を含む端末。
【請求項１１】
シンボルの単位で伝送される前記データは、シンボルの単位で符号化及び変調されたデータパケット内の伝送対象のデータを含む、請求項１０に記載の端末。
【請求項１２】
前記処理モジュールは、前記端末のシンボルレベル伝送能力情報を前記基地局に送信するように前記トランシーバモジュールを制御するように更に構成され、前記シンボルレベル伝送能力情報は、前記端末が前記シンボルの単位でデータ交換を実行する能力を有することを示す、請求項１０又は１１に記載の端末。
【請求項１３】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項１０乃至１２のうちいずれか１項に記載の端末。
【請求項１４】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項１０乃至１３のうちいずれか１項に記載の端末。
【請求項１５】
前記トランシーバモジュールは、
シンボル物理下りリンク制御チャネルSym-PDCCH及び物理下りリンク共有チャネルPDSCHを使用することにより、シンボルの単位で前記基地局により送信された前記データを受信するように更に構成され、前記Sym-PDCCHは、前記基地局により使用される前記シンボルの数量に対応するPDSCHをスケジューリングするために使用される、請求項１０乃至１４のうちいずれか１項に記載の端末。
【請求項１６】
前記Sym-PDCCHは、少なくとも１つの周波数帯域の変調及び符号化方式MCS制御情報を含む、請求項１５に記載の端末。
【請求項１７】
前記トランシーバモジュールは、
前記基地局により送信された上りリンクグラントを受信し、
シンボルの単位で前記データを前記基地局に送信し、
シンボルの単位で前記基地局により送信されたフィードバック情報を受信するように更に構成され、前記フィードバック情報に使用されるフォーマットは、前記シンボル物理下りリンク制御チャネルSym-PDCCHにより使用される制御シグナリングフォーマットである、請求項１０乃至１６のうちいずれか１項に記載の端末。
【請求項１８】
前記トランシーバモジュールは、
無線リソース制御RRCシグナリング、媒体アクセス制御制御エレメントMAC  CE又は物理レイヤ制御シグナリングのうちいずれか１つを使用することにより、前記基地局により送信された前記設定情報を受信するように更に構成される、請求項１０乃至１７のうちいずれか１項に記載の端末。
【請求項１９】
基地局により、設定情報を端末に送信するステップであり、前記設定情報は、シンボル数量情報を含み、前記シンボル数量情報は、前記基地局が前記端末とデータ交換を実行するときに使用されるシンボルの数量を示すために使用されるステップと、
前記基地局により、シンボルの単位でデータを前記端末に送信するステップ、又はシンボルの単位で前記端末により送信されたデータを受信するステップであり、前記データは、時間領域においてm個のシンボルを占有し、mは、前記設定情報において示され且つ使用されるシンボルの数量であるステップと
を含むデータ伝送方法。
【請求項２０】
シンボルの単位で伝送される前記データは、シンボルの単位で符号化及び変調されたデータパケット内の伝送対象のデータを含む、請求項１９に記載の方法。
【請求項２１】
基地局により、設定情報を端末に送信する前に、前記方法は、
前記端末のシンボルレベル伝送能力情報を取得するステップであり、前記シンボルレベル伝送能力情報は、前記端末が前記シンボルの単位でデータ交換を実行する能力を有することを示すステップを更に含む、請求項１９又は２０に記載の方法。
【請求項２２】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項１９乃至２１のうちいずれか１項に記載の方法。
【請求項２３】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項１９乃至２２のうちいずれか１項に記載の方法。
【請求項２４】
前記基地局により、シンボルの単位でデータを前記端末に送信するステップは、
前記基地局により、シンボル物理下りリンク制御チャネルSym-PDCCH及び物理下りリンク共有チャネルPDSCHを使用することにより、シンボルの単位で前記データを前記端末に送信するステップを含み、前記Sym-PDCCHは、前記基地局により使用される前記シンボルの数量に対応するPDSCHをスケジューリングするために使用される、請求項１９乃至２３のうちいずれか１項に記載の方法。
【請求項２５】
前記Sym-PDCCHは、少なくとも１つの周波数帯域の変調及び符号化方式MCS制御情報を含む、請求項２４に記載の方法。
【請求項２６】
前記方法は、
前記基地局により、上りリンクグラントを前記端末に送信するステップと、
前記基地局により、シンボルの単位で前記端末により送信された前記データを受信するステップと、
前記基地局により、シンボルの単位でフィードバック情報を前記端末に送信するステップであり、前記フィードバック情報に使用されるフォーマットは、前記シンボル物理下りリンク制御チャネルSym-PDCCHにより使用される制御シグナリングフォーマットであるステップと
を更に含む、請求項１９乃至２５のうちいずれか１項に記載の方法。
【請求項２７】
基地局により、設定情報を端末に送信するステップは、
前記基地局により、無線リソース制御RRCシグナリング、媒体アクセス制御制御エレメントMAC  CE又は物理レイヤ制御シグナリングのうちいずれか１つを使用することにより、前記設定情報を送信するステップを含む、請求項１９乃至２６のうちいずれか１項に記載の方法。
【請求項２８】
端末により、基地局により送信された設定情報を受信するステップであり、前記設定情報は、シンボル数量情報を含み、前記シンボル数量情報は、前記基地局が前記端末とデータ交換を実行するときに使用されるシンボルの数量を示すために使用されるステップと、
前記端末により、シンボルの単位でデータを前記基地局に送信するステップ、又はシンボルの単位で前記基地局により送信されたデータを受信するステップであり、前記データは、時間領域においてm個のシンボルを占有し、mは、前記設定情報において示され且つ使用されるシンボルの数量であるステップと
を含むデータ伝送方法。
【請求項２９】
シンボルの単位で伝送される前記データは、シンボルの単位で符号化及び変調されたデータパケット内の伝送対象のデータを含む、請求項２８に記載の方法。
【請求項３０】
端末により、基地局により送信された設定情報を受信する前に、前記方法は、
前記端末により、シンボルレベル伝送能力情報を前記基地局に送信するステップであり、前記シンボルレベル伝送能力情報は、前記端末が前記シンボルの単位でデータ交換を実行する能力を有することを示すステップを更に含む、請求項２８又は２９に記載の方法。
【請求項３１】
前記設定情報は、フィードバック間隔情報を更に含み、前記フィードバック間隔情報は、前記基地局が前記端末とデータ交換を実行するときにフィードバック情報を送信するための間隔を示すために使用され、前記フィードバック間隔情報は、上りリンクフィードバック間隔又は下りリンクフィードバック間隔のうち少なくとも１つを含む、請求項２８乃至３０のうちいずれか１項に記載の方法。
【請求項３２】
前記シンボル数量情報は、前記データを前記端末に送信するために前記基地局により使用されるシンボルの数量又は前記端末が前記データを前記基地局に送信するときに使用可能なシンボルの数量のうち少なくとも１つを含み、前記端末が前記データを前記基地局に送信するときに使用可能な前記シンボルの数量は１つ以上の値である、請求項２８乃至３１のうちいずれか１項に記載の方法。
【請求項３３】
前記端末により、シンボルの単位で前記基地局により送信されたデータを受信するステップは、
シンボル物理下りリンク制御チャネルSym-PDCCH及び物理下りリンク共有チャネルPDSCHを使用することにより、シンボルの単位で前記基地局により送信された前記データを受信するステップであり、前記Sym-PDCCHは、前記基地局により使用される前記シンボルの数量に対応するPDSCHをスケジューリングするために使用されるステップを含む、請求項２８乃至３２のうちいずれか１項に記載の方法。
【請求項３４】
前記Sym-PDCCHは、少なくとも１つの周波数帯域の変調及び符号化方式MCS制御情報を含む、請求項３３に記載の方法。
【請求項３５】
前記方法は、
前記端末により、前記基地局により送信された上りリンクグラントを受信するステップと、
前記端末により、シンボルの単位で前記データを前記基地局に送信するステップと、
前記端末により、シンボルの単位で前記基地局により送信されたフィードバック情報を受信するステップであり、前記フィードバック情報に使用されるフォーマットは、前記シンボル物理下りリンク制御チャネルSym-PDCCHにより使用される制御シグナリングフォーマットであるステップと
を更に含む、請求項２８乃至３４のうちいずれか１項に記載の方法。
【請求項３６】
端末により、基地局により送信された設定情報を受信するステップは、
前記端末により、無線リソース制御RRCシグナリング、媒体アクセス制御制御エレメントMAC  CE又は物理レイヤ制御シグナリングのうちいずれか１つを使用することにより、前記基地局により送信された前記設定情報を受信するステップを含む、請求項２８乃至３５のうちいずれか１項に記載の方法。
【請求項３７】
コンピュータに請求項１９乃至２７のうちいずれか１項に記載の方法を実行させるプログラムを記録したコンピュータ読み取り可能記憶媒体。
【請求項３８】
コンピュータに請求項２８乃至３６のうちいずれか１項に記載の方法を実行させるプログラムを記録したコンピュータ読み取り可能記憶媒体。
【請求項３９】
互いに通信する端末及び基地局を含む通信システムであって、
前記端末は、請求項２８乃至３６のうちいずれか１項に記載の方法を実行し、前記基地局は、請求項１９乃至２７のうちいずれか１項に記載の方法を実行する通信システム。
【手続補正２】
【補正対象書類名】明細書
【補正対象項目名】００７７
【補正方法】変更
【補正の内容】
【００７７】
任意選択で、処理モジュール902は、端末のシンボルレベル伝送能力情報を基地局に送信するようにトランシーバモジュール901を制御するように更に構成される。
【手続補正３】
【補正対象書類名】明細書
【補正対象項目名】０１３９
【補正方法】変更
【補正の内容】
【０１３９】
下りリンク方向において、基地局は、データを端末に送信することができる。上りリンク方向において、端末がデータを基地局に送信する必要がある場合、端末は、まず、基地局により送信された上りリンクグラントを受信し、次にデータを基地局に送信する必要がある。
【手続補正４】
【補正対象書類名】図面
【補正対象項目名】図３
【補正方法】変更
【補正の内容】
【図３】
2018517349.tif 000014
【手続補正５】
【補正対象書類名】図面
【補正対象項目名】図４
【補正方法】変更
【補正の内容】
【図４】
2018517349.tif 000015
【国際調査報告】
2018517349.tif 000016
2018517349.tif 000017
2018517349.tif 000018
2018517349.tif 000019